(57)【要約】【課題】  アタッチメントノズルをより簡単に使用可能であるアタッチメントノズル接続用延長管およびそれを備える掃除機を提供する。【解決手段】  アタッチメントノズル接続用延長管は、掃除機本体側と接続される第１接続口と、塵埃を吸込む吸込口体側と接続される第２接続口とを有する支持管と、アタッチメントノズルが接続されるノズル接続口と、前記支持管に対して移動可能に連結する連結部とを有するノズル接続管と、前記支持管に設けられる前記ノズル接続管と連通させるための支持管開口部と、前記ノズル接続管に設けられる前記支持管開口部と連通させるためのノズル接続管開口部と、前記ノズル接続管の移動に伴って、前記支持管開口部と前記ノズル接続管開口部との連通状態及び非連通状態を切り替える切替手段と、を備える。【選択図】  図３
2020010749.tif 000002
【特許請求の範囲】
【請求項１】
掃除機本体側と接続される第１接続口と、塵埃を吸引する吸込口体側と接続される第２接続口とを有する支持管と、
アタッチメントノズルが接続されるノズル接続口と、前記支持管に対して移動可能に連結する連結部と、を有するノズル接続管と、
前記支持管に設けられる前記ノズル接続管と連通させるための支持管開口部と、
前記ノズル接続管に設けられる前記支持管開口部と連通させるためのノズル接続管開口部と、
前記ノズル接続管の移動に伴って、前記支持管開口部と前記ノズル接続管開口部との連通状態及び非連通状態を切り替える切替手段と、
を備えるアタッチメントノズル接続用延長管。
【請求項２】
前記切替手段は、前記ノズル接続管の移動に伴って、前記支持管開口部を開閉する弁体を有する、請求項１に記載のアタッチメントノズル接続用延長管。
【請求項３】
前記ノズル接続管が前記ノズル接続口に接続されたアタッチメントノズルで掃除する所定の位置に移動された場合に、前記切替手段は前記連通状態に切り替わる、請求項１または２に記載のアタッチメントノズル接続用延長管。
【請求項４】
前記ノズル接続管は、前記連結部の中心軸を中心にして回転移動可能に設けられている、請求項１〜３のいずれか１項に記載のアタッチメントノズル接続用延長管。
【請求項５】
前記ノズル接続管は、前記連結部が前記支持管に沿ってスライド移動可能に設けられている、請求項１〜３のいずれか１項に記載のアタッチメントノズル接続用延長管。
【請求項６】
前記支持管は、前記第２接続口を開閉する開閉手段を有する請求項１〜５のいずれか１項に記載のアタッチメントノズル接続用延長管。
【請求項７】
前記開閉手段は、前記ノズル接続管が前記ノズル接続口に接続されたアタッチメントノズルで掃除する所定の位置に移動された場合に、前記第２接続口を閉じる、請求項６に記載のアタッチメントノズル接続用延長管。
【請求項８】
請求項１〜７のいずれか１項に記載のアタッチメントノズル接続用延長管を備える掃除機。
【発明の詳細な説明】
【技術分野】
【０００１】
本発明は、アタッチメントノズルが接続されるアタッチメントノズル接続用延長管およびそれを備えた掃除機に関する。
【背景技術】
【０００２】
特許文献１には、吸引ホースと延長パイプとの間に着脱可能に接続されるアタッチメントノズル部が開示されている。
【先行技術文献】
【特許文献】
【０００３】
【特許文献１】特開２０１４−１３６０１６
【発明の概要】
【発明が解決しようとする課題】
【０００４】
しかしながら、特許文献１では、アタッチメントノズル部を使用しない場合には、アタッチメントノズル部から伸びる吸引口を延長管と嵌合させて保持するようになっており、アタッチメントノズル部を使用する際には、吸引口を延長管から取り外し、さらに延長管をアタッチメントノズル部から取り外すという作業が生じるため、より簡単にアタッチメントノズルを使用できる改良の余地があった。
【課題を解決するための手段】
【０００５】
本発明の一形態のアタッチメントノズル接続用延長管は、掃除機本体側と接続される第１接続口と、塵埃を吸込む吸込口体側と接続される第２接続口とを有する支持管と、アタッチメントノズルが接続されるノズル接続口と、前記支持管に対して移動可能に連結する連結部とを有するノズル接続管と、前記支持管に設けられる前記ノズル接続管と連通させるための支持管開口部と、前記ノズル接続管に設けられる前記支持管開口部と連通させるためのノズル接続管開口部と、前記ノズル接続管の移動に伴って、前記支持管開口部と前記ノズル接続管開口部との連通状態及び非連通状態を切り替える切替手段と、を備える。
【図面の簡単な説明】
【０００６】
【図１】第１の実施形態にかかるアタッチメントノズル接続用延長管を備える掃除機の一例の正面図である。
【図２】図１の掃除機の側面図である。
【図３】（ａ）は図１のＡ−Ａ矢視断面図であり、（ｂ）は（ａ）のアタッチメントノズル接続用延長管における支持管開口部と弁体との関係を説明するための図である。
【図４】（ａ）は図３のアタッチメントノズル接続用延長管において、アタッチメントノズルを使用する場合の断面図であり、（ｂ）は（ａ）においてアタッチメントノズル接続用延長管における支持管開口部と弁体との関係を説明するための図である。
【図５】第２の実施形態にかかるアタッチメントノズル接続用延長管の一例の断面図である。
【図６】図５のアタッチメントノズル接続用延長管において、アタッチメントノズルを使用する場合の断面図である。
【図７】（ａ）は第３の実施形態にかかるアタッチメントノズル接続用延長管の一例の側面図であり、（ｂ）は（ａ）におけるＢ−Ｂ矢視断面図である。
【図８】（ａ）は図７のアタッチメントノズル接続用延長管において、アタッチメントノズルを使用する場合の側面図であり、（ｂ）は（ａ）におけるＣ−Ｃ矢視断面図である。
【発明を実施するための形態】
【０００７】
以下、本発明の実施形態について、図面を参照しつつ説明する。なお、図面については、同一又は同等の要素には同一の符号を付し、重複する説明は省略する。
【０００８】
（第１の実施形態）
図１は、本実施形態にかかるアタッチメントノズル接続用延長管を備える掃除機の一例であるスティック型電気掃除機の正面図であり、図２は同掃除機の側面図である。図１、図２に示すように、本実施形態の掃除機１は、吸込口体１０と、延長管２０と、アタッチメントノズル接続用延長管４０と、掃除機本体３０と、を備える。
【０００９】
吸込口体１０は、掃除の際に床面と対峙させ、塵埃を吸込む吸込口（不図示）を有し、延長管２０と着脱可能に接続される。
【００１０】
延長管２０は、一端において吸込口体１０と着脱可能に接続され、他端においてアタッチメントノズル接続用延長管４０と着脱可能に接続される。
【００１１】
アタッチメントノズル接続用延長管４０は、支持管４２とノズル接続管４３とを有する。そして、支持管４２は、一端の第２接続口５２において、吸込口体１０側に位置する延長管２０と着脱可能に接続され、他端の第１接続口５１において、掃除機本体３０側に位置する掃除機本体３０と着脱可能に接続される。さらに、アタッチメントノズル４１がノズル接続管４３のノズル接続口７１において着脱可能に接続される。アタッチメントノズル４１は、特に限定されるものではなく、例えば、先細ノズル、ブラシノズル等、掃除する場所に応じた形状の種々のノズル等である。なお、アタッチメントノズル接続用延長管４０の詳細については、後述する。
【００１２】
掃除機本体３０は、集塵室３１と、送風機３２と、ハンドル３３と、を備える。
【００１３】
送風機３２は、例えば、使用者がハンドル３３を握って掃除する際に、吸込口体１０から延長管２０、アタッチメントノズル接続用延長管４０を介して、あるいは、アタッチメントノズル４１からアタッチメントノズル接続用延長管４０を介して、塵埃等を空気と共に、集塵室３１に吸引するようになっている。集塵室３１は、吸引された塵埃等を貯蔵するようになっている。また、使用者は集塵室３１に集められた塵埃を、集塵室３１を取り外すことにより廃棄することができる。
【００１４】
次に、図３、図４に基づき、アタッチメントノズル接続用延長管４０について説明する。図３（ａ）は、図１の掃除機におけるアタッチメントノズル接続用延長管４０のＡ−Ａ矢視断面図であり、アタッチメントノズル４１を使用しない場合のアタッチメントノズル接続用延長管４０の構成を示す。図４（ａ）は、アタッチメントノズル４１を使用する場合のアタッチメントノズル接続用延長管４０の構成を示す断面図である。なお、図３、図４では、アタッチメントノズル４１を省略している。
【００１５】
図３（ａ）、図４（ａ）に示すように、アタッチメントノズル接続用延長管４０は、支持管４２と、ノズル接続管４３と、弁体４４と、を有する。
【００１６】
支持管４２は、掃除機本体３０と着脱可能に接続される第１接続口５１と、延長管２０と着脱可能に接続される第２接続口５２と、支持管４２とノズル接続管４３とを連通させるための開口部である支持管開口部５３と、第２接続口５２を開閉する開閉部５４と、を有する。
【００１７】
開閉部５４は、ヒンジ６１と、このヒンジ６１を中心に回動する回転弁６２とを備える。回転弁６２が回動することにより、第２接続口５２を開閉する。例えば、第２接続口５２に延長管２０が接続された場合、図３（ａ）に示すように、点線で描かれた回転弁６２が実線で描かれた回転弁６２の位置まで回動し、第２接続口５２が開いた状態になる。一方、例えば第２接続口５２から延長管２０が取り外された場合、図４（ａ）に示すように点線で描かれた回転弁６２が実線で描かれた回転弁６２の位置まで回動し、第２接続口５２が閉じた状態になる。この開閉部５４により、第２接続口５２から第１接続口５１に至る経路と、支持管開口部５３から第１接続口５１に至る経路とが切り替えられる。なお、開閉部５４は、第２接続口５２を開閉する構成であれば、上記開閉部５４の構成に特に限定されるものではない。
【００１８】
ノズル接続管４３は、アタッチメントノズル４１が着脱可能に接続されるノズル接続口７１と、支持管４２に対して移動可能に連結する連結部７２と、ノズル接続管４３と支持管４２とを連通させるためのノズル接続管開口部７３と、を有する。ノズル接続管開口部７３は、連結部７２に支持管４２と対向するように設けられ、アタッチメントノズル４１の使用時には、支持管開口部５３と対向するようになっている。また、ノズル接続管４３は、ノズル接続口７１からノズル接続管開口部７３に至る１つの経路を有する。さらに、ノズル接続管４３は、支持管４２に対して、連結部７２が、例えば回転、スライドなど、移動可能に設けられているため、この連結部７２の移動に伴い移動する。本実施形態においては、ノズル接続管４３（連結部７２）が回転移動可能に設けられているが、その詳細については後述する。
【００１９】
切替手段の一例である弁体４４は、ノズル接続管４３の移動に伴って、支持管開口部５３とノズル接続管開口部７３との連通状態および非連通状態を切り替える。言い換えると、この弁体４４により、支持管４２とノズル接続管４３との連通状態および非連通状態が切り替えられる。より具体的には、弁体４４は、図３（ａ）に示すように、支持管開口部５３を閉じることにより、支持管開口部５３とノズル接続管開口部７３とを非連通状態に切り替え、図４（ａ）に示すように、支持管開口部５３を開くことにより支持管開口部５３とノズル接続管開口部７３とを連通状態に切り替える。本実施の形態における弁体４４は、ノズル接続管４３と一体に設けられており、ノズル接続管４３の移動に伴って移動しているが、これに限定されるものではない。例えば、弁体４４を、ノズル接続管４３から独立して別体で設け、ノズル接続管４３の移動に伴って、支持管開口部５３を開閉するように連動して動作するように構成してもよい。
【００２０】
次いで、ノズル接続管４３の移動およびその移動に伴う弁体４４等の動きの一例について説明する。ノズル接続管４３は、連結部７２の中心軸Ｘ（連結部７２における弁体４４を除いた場合の空気の経路の中心を通る軸）を中心にして回転移動されることにより、図３（ａ）に示すアタッチメントノズルを使用する場合と、図４（ａ）に示すアタッチメントノズルを使用しない場合とが、切り替えられる。本実施の形態においては、連結部７２は円筒状であり、ノズル接続管４３を回転させやすい形状となっている。
【００２１】
アタッチメントノズル４１を使用しない場合、図３（ａ）に示すように、ノズル接続管４３は、ノズル接続口７１が支持管４２における第１接続口５１と同じ方向に向くように回転移動し、待機位置に配置される。このとき、弁体４４は、支持管開口部５３を閉じた状態にし、支持管開口部５３とノズル接続管開口部７３とを非連通状態にする。この非連通状態では、図３（ａ）において支持管４２内部から支持管開口部５３を見た場合の図３（ｂ）に示すように、弁体４４は支持管開口部５３と重なり、支持管開口部５３を閉じる。本実施形態では、支持管開口部５３およびノズル接続管開口部７３を半円形に設けている。この支持管開口部５３およびノズル接続管開口部７３の形状にすることにより、連結部７２の中心軸Ｘを中心にノズル接続管４３を回転移動させる場合に、効率よく支持管開口部５３とノズル接続管開口部７３とを重ね合わせ、連通状態にすることができる。一方、弁体４４も半円形に設けることにより、連結部７２の中心軸Ｘを中心にノズル接続管４３を回転移動させる場合に、支持管開口部５３を効率よく閉じることができる。なお、上記待機位置は、支持管開口部５３が閉じるように構成させていればよく、ノズル接続口７１の向き等は特に限定されるものではない。
【００２２】
さらに、第２接続口５２に、例えば延長管２０や吸込口体１０を接続して使用する場合、開閉部５４における回転弁６２がヒンジ６１を中心に回動することにより、第２接続口５２が開かれる。これにより、掃除機を使用する際の吸引経路は、図３（ａ）の矢印Ｒ１で示されるように、吸込口体１０が接続される第２接続口５２、支持管４２、第１接続口５１を介して、掃除機本体３０へ至る経路となる。この場合、支持管開口部５３が閉じられ、吸引経路が矢印Ｒ１の経路に限定されるため、吸込口体１０からの吸引力の低下が抑制される。つまり、支持管開口部５３が閉じている場合には、支持管開口部５３が閉じていない場合に比べ、ノズル接続口７１に接続されたアタッチメントノズル４１からの吸引が抑制されるため、吸込口体１０における吸引力の低下を防止することができる。
【００２３】
一方、アタッチメントノズル４１を使用する場合、ノズル接続管４３は、連結部７２の中心軸Ｘを中心にして回転移動され、図４（ａ）に示すように、ノズル接続口７１が第２接続口５２の向く方向と同じ方向（図４（ａ）の左）に向いた所定の位置に設定される。この所定の位置とは、ノズル接続口７１に接続されたアタッチメントノズル４１で掃除することができるノズル接続管４３の位置である。ノズル接続管４３が移動して所定の位置に設定される際に、ノズル接続管４３と一体に取り付けられた弁体４４は、ノズル接続管４３の軸Ｘを中心とした回転移動に伴って移動し、支持管開口部５３を開く。このとき、ノズル接続管開口部７３もノズル接続管４３の移動に伴って、支持管開口部５３と対向する位置に移動する。これにより、支持管開口部５３とノズル接続管開口部７３とが連通状態になる。この連通状態では、支持管４２の内部から支持管開口部５３を見た場合の図４（ｂ）に示すように、支持管開口部５３はノズル接続管開口部７３と対向し、支持管４２とノズル接続管４３とが、支持管開口部５３およびノズル接続管開口部７３を介して連通する。
【００２４】
さらに、アタッチメントノズル４１を使用する場合、第２接続口５２に、延長管２０や吸込口体１０を接続しないため、開閉部５４における回転弁６２がヒンジ６１を中心に回動することにより、第２接続口５２が閉じられる。これにより、掃除機を使用する際の吸引経路は、図４（ａ）の矢印Ｒ２で示されるように、アタッチメントノズル４１が接続されるノズル接続口７１、ノズル接続管４３、ノズル接続管開口部７３、支持管開口部５３、支持管４２、第１接続口５１を介して、掃除機本体３０に至る経路となる。この場合、第２接続口５２が閉じられているので、吸引経路が図４（ａ）の矢印Ｒ２の経路に限定され、アタッチメントノズル４１からの吸引力の低下が抑制される。第２接続口５２が閉じていない場合には、第２接続口５２からも吸引されるため、アタッチメントノズル４１における吸引力が低下する場合がある。
【００２５】
本実施形態において、第２接続口５２は、延長管２０を取り外した際に、アタッチメントノズル４１を接続できるように構成されることが好ましい。この場合、ノズル接続口７１に接続されたアタッチメントノズルと、第２接続口５２に接続されたアタッチメントノズルとがアタッチメントノズル接続用延長管４０に接続された状態となる。これにより、掃除機の使用者が掃除する際に、ノズル接続口７１に接続されたアタッチメントノズルを取り外すことなく、２つのアタッチメントノズルが使用可能となり、利便性が向上し、掃除の効率を向上させ得る。
【００２６】
さらに、所定の位置にノズル接続管４３を移動させた場合に、開閉部５４により第２接続口５２を閉じるように構成してもよい。これにより、特に第２接続口５２にアタッチメントノズルを接続している場合には、ノズル接続口７１に接続されたアタッチメントノズルから吸引経路に限定されるため、ノズル接続口７１に接続されたアタッチメントノズルにおける吸引力の低下を抑制することができる。
【００２７】
さらにまた、ノズル接続口７１には、例えば使用頻度の高いアタッチメントノズルを接続しておくことにより、アタッチメントノズルの取り換え頻度が下がり、さらに利便性を向上させ得る。
【００２８】
さらに、アタッチメントノズル接続用延長管は、ノズル接続管４３を複数有し、各ノズル接続管４３が所定の位置に配置された場合には、各ノズル接続管におけるノズル接続管開口部７３と支持管開口部５３とが連通状態に切り替えられるように構成してもよい。これにより、複数のアタッチメントノズルがアタッチメントノズル接続用延長管に接続することができ、掃除する場所に応じて、簡便にアタッチメントノズルを使い分けることができる。
【００２９】
本実施の形態によれば、例えば、切替手段である弁体４４はノズル接続管４３の移動に伴って、ノズル接続管開口部７３と支持管開口部５３との間で連通状態と非連通状態とを切り替える。これにより、使用者は、ノズル接続口７１にアタッチメントノズルを接続しておけば、延長管等を取り外し、ノズル接続管４３を操作するだけでノズル接続口７１に接続されたアタッチメントノズルを使用して掃除することができる。また、ノズル接続口７１には、使用者の好みに応じた使用頻度の高いアタッチメントノズルを接続しておくことにより、アタッチメントノズルを取り替える回数を低減することができる。したがって、アタッチメントノズルを探し、アタッチメントノズルを取り付ける手間をより低減することができる。
【００３０】
（第２の実施形態）
次に、本発明の第２の実施形態を説明する。なお、下記において第１の実施形態と同様である点については説明を省略する。
【００３１】
図５は、アタッチメントノズル４１を使用しない場合の本実施の形態におけるアタッチメントノズル接続用延長管の一例の断面図である。図６は、本実施の形態におけるアタッチメントノズル４１を使用する場合のアタッチメントノズル接続用延長管の一例の断面図である。なお、図５、図６では、アタッチメントノズル４１を省略している。
【００３２】
図５、図６に示すように、本実施の形態にかかるノズル接続管４３は、連結部７２にて、支持管４２の長手方向（図４、図５の矢印Ｓ１、図６の矢印Ｓ２で示す方向）に支持管４２に沿ってスライド可能に連結されている。また、弁体４４は、支持管４２に沿って、ノズル接続管開口部７３の左側（Ｓ２の方向）に連結部７２から延伸するように、設けられている。
【００３３】
ノズル接続管４３は、矢印Ｓ１、矢印Ｓ２の方向に支持管４２に沿ってスライド移動することにより、図５に示すアタッチメントノズルを使用しない場合と、図５に示すアタッチメントノズルを使用する場合とで、切り替えられる。
【００３４】
ノズル接続管４３のアタッチメントノズル４１を使用しない場合、図５に示すように、ノズル接続管４３は、矢印Ｓ１の方向にスライド移動され、待機位置に配置される。このとき、弁体４４は、支持管開口部５３を閉じ、支持管開口部５３とノズル接続管開口部７３とを非連通状態にする。また、開閉部５４は、第２接続口５２に、例えば延長管２０や吸込口体１０などが接続されるため、ヒンジ６１を中心に回転弁６２が回動することにより、第２接続口５２を開く。
【００３５】
一方、ノズル接続管４３のアタッチメントノズル４１を使用する場合、図６に示すように、ノズル接続管４３は、矢印Ｓ２の方向にスライド移動され、ノズル接続口７１に接続されたアタッチメントノズル４１を使用して掃除する所定の位置に配置される。このとき、弁体４４は、支持管開口部５３を開き、支持管開口部５３とノズル接続管開口部７３とを連通状態にする。また、開閉部５４は、第２接続口５２に、延長管２０や吸込口体１０を接続しないため、ヒンジ６１を中心に回転弁６２が回動することにより、第２接続口５２を閉じる。
【００３６】
本実施の形態によれば、ノズル接続管４３を支持管４２の長手方向にスライド移動させることにより、支持管開口部５３とノズル接続管開口部７３とを連通状態および非連通状態を切り替えることができ、より簡便にアタッチメントノズルを使用して掃除することができる。
【００３７】
（第３の実施形態）
次に、本発明の第３の実施形態を説明する。なお、下記において第１、第２の実施形態と同様である点については説明を省略する。
【００３８】
図７（ａ）はアタッチメントノズル４１を使用しない場合の本実施の形態におけるアタッチメントノズル接続用延長管の一例の側面図であり、図７（ｂ）は図７（ａ）におけるＢ−Ｂ矢視断面図である。図８（ａ）はアタッチメントノズル４１を使用する場合の本実施の形態におけるアタッチメントノズル接続用延長管の一例の側面図であり、図８（ｂ）は図８（ａ）におけるＣ−Ｃ矢視断面図である。なお、図７、図８では、アタッチメントノズル４１を省略している。
【００３９】
図７（ａ）、図８（ａ）に示すように、本実施の形態にかかるノズル接続管４３は、連結部７２にて、支持管４２の軸Ｚ（支持管４２における空気の経路の中心を通る軸）を中心に支持管４２の周方向に沿ってスライド移動可能に連結されている。具体的には、弁体４４が、連結部７２の一部としてリング状に形成されており、支持管４２がリング状の弁体４４に挿入されている。そして、リング状の弁体４４は、支持管４２の外周に沿って、支持管４２の周方向にスライド移動可能に設けられている。この弁体４４が支持管４２の周方向にスライド移動に伴い、ノズル接続管４３もスライド移動する。
【００４０】
ノズル接続管４３は、軸Ｚを中心に支持管４２の周方向に沿ってスライド移動することにより、図７（ａ）に示すアタッチメントノズルを使用しない場合と、図８（ａ）に示すアタッチメントノズルを使用する場合とで、切り替えられる。
【００４１】
ノズル接続管４３のアタッチメントノズル４１を使用しない場合、図７（ａ）に示すように、ノズル接続管４３は、軸Ｚを中心に支持管４２の周方向に沿ってスライド移動され、図７（ａ）に示すように支持管４２の下側の待機位置に配置される。このとき、弁体４４は、図７（ｂ）に示すように、支持管開口部５３を閉じ、支持管開口部５３とノズル接続管開口部７３とを非連通状態にする。
【００４２】
一方、ノズル接続管４３のアタッチメントノズル４１を使用する場合、図８（ａ）に示すように、ノズル接続管４３は、軸Ｚを中心に支持管４２の周方向に沿ってスライド移動され、図８（ａ）に示すように支持管４２の上側のアタッチメントノズル４１を使用する所定の位置に配置される。このとき、弁体４４は、図８（ｂ）に示すように、支持管開口部５３を開き、支持管開口部５３とノズル接続管開口部７３とを連通状態にする。
【００４３】
本実施の形態によれば、ノズル接続管４３を支持管４２の周方向にスライド移動させることにより、支持管開口部５３とノズル接続管開口部７３とを連通状態および非連通状態をより簡便に切り替えることができ、より簡便にアタッチメントノズルを使用して掃除することができる。
【００４４】
（まとめ）
本発明のアタッチメントノズル接続用延長管は、掃除機本体側と接続される第１接続口と、塵埃を吸引する吸込口体側と接続される第２接続口とを有する支持管と、
アタッチメントノズルが接続されるノズル接続口と、前記支持管に対して移動可能に連結する連結部と、を有するノズル接続管と、
前記支持管に設けられる前記ノズル接続管と連通させるための支持管開口部と、
前記ノズル接続管に設けられる前記支持管開口部と連通させるためのノズル接続管開口部と、
前記ノズル接続管の移動に伴って、前記支持管開口部と前記ノズル接続管開口部との連通状態及び非連通状態を切り替える切替手段と、
を備えるように構成されたものである。
【００４５】
また、本発明のアタッチメントノズル接続用延長管は、次のように構成されてもよく、それらが適宜組み合わされていてもよい。
（１）前記切替手段は、前記ノズル接続管の移動に伴って、前記支持管開口部を開閉する弁体を有するものであってもよい。この構成により、弁体という簡便な部材で前記支持管開口部と前記ノズル接続管開口部との連通状態及び非連通状態を切り替えることができる。
【００４６】
（２）前記ノズル接続管が前記ノズル接続口に接続されたアタッチメントノズルで掃除する所定の位置に移動された場合に、前記切替手段は前記連通状態に切り替わるものであってもよい。これにより、所定の位置に移動されてすぐにアタッチメントノズルで掃除することができる。
【００４７】
（３）前記ノズル接続管は、前記連結部の中心軸を中心にして回転移動可能に設けられているものであってもよい。この構成により、連結部を回転移動させる簡単な動作で支持管開口部とノズル接続管開口部との連通状態及び非連通状態を切り替えることができる。
【００４８】
（４）前記ノズル接続管は、前記連結部が前記支持管に沿ってスライド移動可能に設けられているものであってもよい。この構成により連結部をスライド移動させる簡単な動作で支持管開口部とノズル接続管開口部との連通状態及び非連通状態を切り替えることができる。
【００４９】
（５）前記支持管は、前記第２接続口を開閉する開閉手段を有するものであってもよい。この構成により、吸込口体からの吸引を抑制することができ、ノズル接続管に接続されたアタッチメントノズルを使用して掃除する際の吸引力の低下を防止することができる
【００５０】
（６）前記開閉手段は、前記ノズル接続管が前記ノズル接続口に接続されたアタッチメントノズルで掃除する所定の位置に移動された場合に、前記第２接続口を閉じるものであってもよい。この構成により、所定の位置に移動された場合に吸引力の低下を防止しながら、すぐにアタッチメントノズルで掃除することができる。
【００５１】
本発明は、上記実施の形態に限定されるものではなく、上記実施の形態で示した構成と実質的に同一の構成、同一の作用効果を奏する構成又は同一の目的を達成することができる構成で置き換えてもよい。
【００５２】
各実施形態では、いわゆるスティック型の掃除機を例に挙げて説明したが、掃除機の種類としてはハンディ型、キャニスター型等、本実施形態のアタッチメントノズル接続用延長管を取り付けることができるものであれば、掃除機の種類は特に限定されるものではない。また、本実施形態では、アタッチメントノズル接続用延長管と掃除機本体とが直接的に接続される構成を例にして説明したが、これに限らず、例えば、キャニスター型の掃除機のように掃除機本体とアタッチメントノズル接続用延長管との間に接続されたホース等の管状部材を介して間接的に掃除機本体とアタッチメントノズル接続用延長管とが接続される構成も、アタッチメントノズル接続用延長管に掃除機本体が接続される構成に含み得る。さらに、本実施形態では、アタッチメントノズル接続用延長管４０と吸込口体１０とが延長管２０を介して間接的に接続される構成を例にして説明したが、延長管２０のような管状部材で間接的にアタッチメントノズル接続用延長管４０と吸込口体１０が接続される構成も、アタッチメントノズル接続用延長管４０と吸込口体１０とが接続される構成に含み得る。
【符号の説明】
【００５３】
１  掃除機、１０  吸込口体、２０  延長管、３０  掃除機本体、３１  集塵室、３２  送風機、３３  ハンドル、４０  アタッチメントノズル接続用延長管、４１  アタッチメントノズル、４２  支持管、４３  ノズル接続管、４４  弁体、５１  第１接続口、５２  第２接続口、５３  支持管開口部、５４  開閉部、６１  ヒンジ、６２  回転弁、７１  ノズル接続口、７２  連結部、７３  ノズル接続管開口部
【図１】
2020010749.tif 000003
【図２】
2020010749.tif 000004
【図３】
2020010749.tif 000005
【図４】
2020010749.tif 000006
【図５】
2020010749.tif 000007
【図６】
2020010749.tif 000008
【図７】
2020010749.tif 000009
【図８】
2020010749.tif 000010